(57)【要約】【課題】発光面での光量の減少や不均一、あるいは影が生ずることを防止することができる照明装置を提供する。【解決手段】基板７のＬＥＤが実装された面には、矩形状の反射シート２２を設けてある。反射シート２２には、ＬＥＤが配置される位置に合わせて、ＬＥＤの平面形状より若干大きい寸法の開口部を形成してあり、該開口部内にＬＥＤを配置させることにより、反射シート２２を基板７に密接させてある。また、反射シート２２の一辺の周縁に沿って曲部２２１を反射面側に設けている。曲部２２１は、基板７との間に空間を設け、該空間に配線部としての基板コネクタ２０、配線２１を収容することができる。【選択図】図２
2010040269.tif 000002
【特許請求の範囲】
【請求項１】
基板に光源を実装した照明装置において、
前記基板の前記光源を実装した側に反射部を備え、
該反射部は、
前記基板に配設された配線部を覆うように構成してあることを特徴とする照明装置。
【請求項２】
前記反射部は、
前記基板との間で前記配線部を収容する空間を設けてあることを特徴とする請求項１に記載の照明装置。
【請求項３】
前記反射部は、
該反射部の一部を前記基板と反対側に曲げた曲部を備え、
該曲部と前記基板との間の空間に前記配線部を収容するように構成してあることを特徴とする請求項１又は請求項２に記載の照明装置。
【請求項４】
前記曲部を、前記反射部の周縁の一部に設けてあることを特徴とする請求項３に記載の照明装置。
【請求項５】
前記曲部を、前記反射部の一部を屈曲又は湾曲して形成してあることを特徴とする請求項３又は請求項４に記載の照明装置。
【請求項６】
前記配線部は、
前記基板上に設けられたコネクタ又は該コネクタに接続される配線の少なくとも一方を含むことを特徴とする請求項１から請求項５までのいずれか１項に記載の照明装置。
【請求項７】
前記光源は、発光ダイオードであることを特徴とする請求項１から請求項６までの何れか１項に記載の照明装置。
【発明の詳細な説明】
【技術分野】
【０００１】
本発明は、光源を実装した基板と反射部を備える照明装置に関する。
【背景技術】
【０００２】
近年、省電力化及び長寿命化に優れているとして蛍光灯や白熱灯に替わって発光ダイオードを光源とする照明装置の開発が行われている。このような照明装置では、複数の発光ダイオード（ＬＥＤ）を実装した基板を灯具の筐体底面に取り付ける構造を有している。
【０００３】
例えば、基板上に複数のＬＥＤを配設して、ＬＥＤから発光する光を拡散板で拡散することにより面発光を実現した照明器具が開示されている（特許文献１参照）。
【特許文献１】特開２００２−３３００６号公報
【発明の開示】
【発明が解決しようとする課題】
【０００４】
しかしながら、特許文献１に開示された照明器具にあっては、ＬＥＤに電力を供給するための電源ユニットと基板とを接続する配線が必要であり、複数の基板により面発光を実現する場合には、基板間を接続する配線も必要になる。また、これらの配線は、取り付けの容易性や基板の低コスト化等のため、ＬＥＤが実装された基板表面に接続される。この場合、灯具を天井等の設置面に取り付けると、配線が自身の重みで撓んで配線の一部が垂れた状態となり、ＬＥＤから照射された光が垂れ下がった配線によって遮られ、光量の減少や不均一、配線により発光面に影が生じるといった問題があった。
【０００５】
本発明は斯かる事情に鑑みてなされたものであり、発光面での光量の減少や不均一、あるいは影が生ずることを防止することができる照明装置を提供することを目的とする。
【課題を解決するための手段】
【０００６】
本発明に係る照明装置は、基板に光源を実装した照明装置において、前記基板の前記光源を実装した側に反射部を備え、該反射部は、前記基板に配設された配線部を覆うように構成してあることを特徴とする。
【０００７】
本発明に係る照明装置は、前記反射部は、前記基板との間で前記配線部を収容する空間を設けてあることを特徴とする。
【０００８】
本発明に係る照明装置は、前記反射部は、該反射部の一部を前記基板と反対側に曲げた曲部を備え、該曲部と前記基板との間の空間に前記配線部を収容するように構成してあることを特徴とする。
【０００９】
本発明に係る照明装置は、前記曲部を、前記反射部の周縁の一部に設けてあることを特徴とする。
【００１０】
本発明に係る照明装置は、前記曲部を、前記反射部の一部を屈曲又は湾曲して形成してあることを特徴とする。
【００１１】
本発明に係る照明装置は、前記配線部は、前記基板上に設けられたコネクタ又は該コネクタに接続される配線の少なくとも一方を含むことを特徴とする。
【００１２】
本発明に係る照明装置は、前記光源は、発光ダイオードであることを特徴とする。
【００１３】
本発明にあっては、照明装置は、複数の発光ダイオードを実装した基板の表面に反射部を装着して、基板に配設された配線部（例えば、配線やコネクタなど）を覆う。反射部が配線部を覆うため、配線部が垂れ下がることもなく、また、発光ダイオードから照射される光は反射部で反射されて配線部に照射されることがないので、配線部により影が生ずることもない。これにより、発光面での光量の減少や不均一、あるいは影が生ずることを防止することができる。
【００１４】
本発明にあっては、照明装置は、反射部は、基板との間で配線部を収容する空間を設けてある。これにより、発光面から見て配線部を反射部で覆うとともに隠すことができ、配線部による影響を除去することができ、発光面での光量の減少や不均一、あるいは影が生ずることを防止することができる。
【００１５】
本発明にあっては、照明装置は、反射部の一部を基板と反対側に曲げた曲部を備え、曲部と基板との間の空間に配線部を収容する。これにより、発光面から見て配線部を反射部で覆うとともに隠すことができ、配線部による影響を除去することができ、発光面での光量の減少や不均一、あるいは影が生ずることを防止することができる。
【００１６】
本発明にあっては、曲部を反射部の周縁の一部に設けてある。これにより、反射部の周縁に配線部を配設することができ、ＬＥＤから照射される光を反射させる機能を損なうことなく配線部の影響を除去することができる。
【００１７】
本発明にあっては、曲部を、反射部の一部を屈曲又は湾曲して形成してある。これにより、配線部の大きさや形状等に応じて、配線部を覆い隠すことができる。
【００１８】
本発明にあっては、配線部は、基板上に設けられたコネクタ又はコネクタに接続される配線の少なくとも一方を含む。これにより、基板上に設けられるコネクタ及び／又は配線による影響を除去することができる。
【００１９】
本発明にあっては、前記光源は、発光ダイオードである。
【発明の効果】
【００２０】
本発明によれば、発光面での光量の減少や不均一、あるいは影が生ずることを防止することができる。
【００２１】
本発明によれば、光源が指向性のある発光ダイオードであっても、発光面での光量の減少や不均一、あるいは影が生ずることを防止することができる。
【発明を実施するための最良の形態】
【００２２】
実施の形態１
以下、本発明をその実施の形態を示す図面に基づいて説明する。図１は本発明に係る照明装置１００の概略組立斜視図であり、図２は本発明に係る照明装置１００の概略分解斜視図であり、図３は本発明に係る照明装置１００の光源側から見た概略平面図であり、図４は図３のＡ−Ａ線で切断した概略断面図であり、図５は図３のＢ−Ｂ線で切断した概略断面図である。
【００２３】
なお、実施の形態１の照明装置１００は細長の照明装置であり、以下の説明において、図５の矢印で記すように、照明装置１００の上方向とは天井面に取り付けられる方向を示し、下方向とは照射する方向を示すものとして便宜的に用いる。また、照明装置１００を構成する筐体の説明において用いる上下方向についても同様である。また、図１は、後述する反射部としての反射シート２２、保護板１３などを外した状態を示す。
【００２４】
実施の形態１に係る照明装置１００は、細長の形状であって、光源としての発光ダイオード（以下、「ＬＥＤ１２」という。）を収容する筐体２（以下、「ＬＥＤ１２を収容する筐体２」を「照明ケース２」という。）、及びＬＥＤ１２に電流を供給する電源回路部を収容する筐体３（以下、「電源回路部を収容する筐体３」を「電源ケース３」という。）を別体として備え、照明ケース２及び電源ケース３は、互いに着脱可能な係止構造を有している。
【００２５】
電源ケース３は、上面側を天井面にボルト等で取り付けることができ、電源ケース３の内部に収容される電源回路部は、天井裏に配設されている外部電源（不図示）からの電力線と接続される。また、照明ケース２は、電源ケース３に係止される。
【００２６】
照明ケース２の内部に収容する複数の基板７の表面に複数のＬＥＤ１２を実装してあり、基板７上に取り付けられた基板コネクタ２０及び基板コネクタ２０に接続される配線２１により、電源回路部からＬＥＤ１２に電力が供給される。電源回路部は、外部電源から供給される交流電圧を所定の直流電圧に変換する。これにより、照明装置１００は、ＬＥＤ１２から照射される光により面発光照明が可能となる。なお、本実施の形態では、一例として４枚の基板を示すが、基板７の枚数はこれに限定されない。
【００２７】
次に、照明ケース２及び照明ケース２内部に収容されるＬＥＤ１２等の部品について説明する。照明ケース２は、軽量かつ放熱性が良い金属製であって、例えば、アルミニウムからなり、底面４と一部屈曲した部分を有し長手方向に沿って先端が二股に分かれた溝である凹部６が形成された側面５とを備える細長の略直方体形状（蒲鉾形状）である。また、照明ケース２は、短手側の両端と底面と対向する側において開口部を有している。
【００２８】
照明ケース２の底面４には、複数のＬＥＤ１２を、例えば、マトリクス状に装着した基板７を複数枚取り付けるための基板取付孔８が複数個設けられ、底面に４枚の基板７がビス等の基板係止部材３０で取り付けられている。
【００２９】
さらに、底面４の短辺側の両端部には、固定部であるストッパー９を嵌め込んで電源ケース３と照明ケース２を取付けるための矩形状の電源ケース取付孔１０を設けてある。また、底面４の短辺側の両端部には、両端の開口部を覆うサイドカバー１１を設けてある。サイドカバー１１は、例えば、白色の反射性の高い金属からなり、両端の開口部から光が漏れることを防止する。
【００３０】
ストッパー９は、板状の突起部であり、ストッパー９の中央を軸回りに回動可能に電源ケース３に設けられている。板状のストッパー９の幅は、矩形状の電源ケース取付孔１０の長辺より短く、短辺より長くしてある。これにより、ストッパー９を電源ケース取付孔１０に挿入し、照明ケース２と電源ケース３とを係止構造により係止した後に、ストッパー９を略９０度回動させることにより、照明ケース２と電源ケース３は係止された状態で保持する事が可能となる。なお、ストッパー９は、電源ケース３に一体的に形成されていてもよく、又は電源ケース３と取り外し可能な別体の部材でもよい。
【００３１】
また、照明ケース２の側面５の先端の凹部６には、ＬＥＤ１２を保護する保護板１３が嵌め込まれる。保護板１３は、ＬＥＤ１２を外部から保護するとともに、ＬＥＤ１２から照射される光のグレアを解消する。本実施の形態においては、保護板１３として、ポリカーボネート樹脂の乳白色の拡散板が用いられる。また、照明装置１００が設置される室内の照度を確保するために、保護板１３は、例えば、アクリル樹脂の透明板であってもよい。照明装置１００を設置する場所や用途に応じて、保護板１３の種類を選択可能とすることで、照明装置１００の汎用性が高めることができる。
【００３２】
また、照明ケース２の電源ケース３と接する側の面には、照明ケース２の長手方向に沿って、照明ケース２の全長に渡り２つのケース係止受け部１４を形成してある。２つのケース係止部材１４は、照明装置１００の短辺側から見た断面形状がＬ字状であり、照明ケース２の裏面とケース係止受け部１４のＬ字により形成される係止開口部１５が同一の方向となるように形成されている。係止開口部１５には、後述する電源ケース２に形成されるケース係止突起部１６を嵌合することによって、照明ケース２と電源ケース３とが係止される。従って、係止構造は、ケース係止受け部１４とケース係止突起部１６とにより構成されることとなる。
【００３３】
さらに、照明ケース２の短辺側の両端部において、照射方向側から保護板１３等の部品を押圧して保持する保持部材１７を設けてある。保持部材１７は、照明ケース２の短辺両端部の開口部を覆うともに保持部材１７を押圧できるように屈曲した構造であり、照明ケース２の底面４に取り付けるための爪部１８とストッパー９とが回動しないようにするストッパー固定部１９を有する。図５に示すように、本実施の形態では、爪部１８の個数は２つであり、安定して保持することができる。
【００３４】
次に、電源ケース３及び電源ケース３に収容される電源回路部等の部品について説明する。電源ケース３は、鉄等の金属からなる直方体の筐体であり、筐体内部に、電源回路部に外部電源から電力線を接続するための接続端子としての速結端子２３を備える。また、電源回路部は安全性を確保するために、金属性の電源回路ボックス２４の内部に収容されている。
【００３５】
電源回路部は、電源回路基板２５にコンデンサやトランス等の電子部品（図示せず）を装着して構成され、電源回路ボックス２４に絶縁シート２６を介して取り付けられる。なお、電源回路部と電源回路ボックス２４の間の絶縁性をさらに確保するには、電源回路部をシリコン等の樹脂でモールドすることが好ましい。
【００３６】
また、電源ケース３の長手方向の長さは照明ケース２の長手方向の寸法とほぼ同じであるが、電源ケース３の短手方向の長さは照明ケース２の短手方向の寸法の略半分である。従って、例えば、図５に示すように、電源ケース３を照明ケース２の底面の裏面に短辺側の中心を揃えて取り付けた場合に、電源ケース３と照明ケース２の短辺の長さの違いに起因して、照明ケース２の裏面の一部が外部に露出される構成となる。よって、放熱性の高いアルミニウム等の金属からなる照明ケース２の裏面をより効果的に利用することができ、ＬＥＤ１２から発せられる熱を効率的に放熱することが可能となる。
【００３７】
また、基板７には、電源回路部から配線された配線２１を基板７に接続するためのコネクタ２０を設けてあり、配線２１は、照明ケース２の電源ケース取付孔１０を通して配線されている。また、図示しないが、電源ケース３の天井側の面には、天井に配設された電力線を引き込む引込孔（図示せず）が設けられ、引込孔の孔周囲には樹脂製の緩衝リング（図示せず）が装着されている。よって、通常は電力線として直径１６ｍｍ〜２０ｍｍ程度の比較的太い電力線が用いられているが、引込孔から電力線を引き込む際には、照明装置１００の製造過程で引込孔の孔周囲に形成されたバリ等により電力線が損傷を受けることを防ぐことが可能である。
【００３８】
なお、電力線の損傷を防ぐために、引込孔に樹脂リングを装着するのではなく、つば加工等の端面処理を施すこともできる。また、電源ケース３の高さは電源回路ボックス２４を収容できる寸法であって、内部にある程度の空間を確保できるように設計されていることが好ましい。電源ケース２にある程度の高さがなければ、上述したような太い電力線を引込孔から引き込んで電源ケース２に沿って曲げる為の空間を確保することができないからである。本実施の形態においては、通常用いられる直径１６ｍｍ〜２０ｍｍの電力線に対応して、電源回路ケース２４の高さは４２ｍｍと設計されている。
【００３９】
また、電気用品安全法に準拠すべく、絶縁性の確保のため、電源回路基板２５を周囲の金属部品からである電源回路ボックス２４から少なくとも５ｍｍ程度の距離をあけるように求められているが、上述したように電源ケース３の高さを十分に設計することにより、電源回路基板２５を５ｍｍの距離をあけて収容する高さを有する電源回路ボックス２４を電源ケース３内に設けることができる。
【００４０】
また、電源回路部（電源回路ボックス２４）は、電源ケース３内の何れの場所に設置されていてもよいが、速結端子２３を介する必要があるので、引込孔から一定距離を空けて設置されている。なお、電源回路部が、電源ケース３の短辺側の何れか一端に近く設けられていれば、電源回路部と基板７とを接続する配線２１が短くなり、照明ケース２と電源ケース３を係止させた場合のコネクタ２８による接続も容易となる。
【００４１】
次に、光源であるＬＥＤ１２と複数のＬＥＤ１２を装着した基板７について、より詳細に説明する。本実施の形態で用いられるＬＥＤ１２は、青色ＬＥＤと黄色蛍光体からなる擬似白色の表面実装型ＬＥＤである。擬似白色のＬＥＤから照射される光は、青色ＬＥＤが発する青色の光と、黄色蛍光体が青色ＬＥＤからの青色の光に励起されて発する黄色の光とが混合されるので、白色の光が照射されているように視感される。
【００４２】
基板７はプリント配線基板であり、複数のＬＥＤ１２が等間隔にマトリクス状に配列されている。また、基板７には、複数のＬＥＤ１２間を通電する配線パターン（図示せず）、ＬＥＤ１２に一定の電流を流すための制限抵抗（図示せず）、複数の基板７間を接続するための基板コネクタ２０が設けられている。なお、基板コネクタ２０は１枚の基板に２つずつ設けられており、２つとも基板７の一辺側の端部に設けられている。そして、電源回路部からの配線２１、及び基板７間を接続する配線２１が、基板７の縁部に沿って配設され、基板７上の基板コネクタ２０に接続される。なお、基板コネクタ２０及び配線２１は、本発明の配線部を構成するものである。
【００４３】
さらに、基板７のＬＥＤ１２が実装された側の面には、反射部としての矩形状の反射シート２２を設けてある。反射シート２２には、ＬＥＤ１２が配置される位置に合わせて、ＬＥＤ１２の平面形状より若干大きい寸法の開口部を形成してあり、該開口部内にＬＥＤ１２を配置させることにより、反射シート２２を基板７に密接させてある。また、反射シート２２の材質としては、例えば、ポリエチレンテレフタレート（ＰＥＴ）フィルムを用いることができる。これにより、ＬＥＤ１２から照射される（発せられる）光が基板７に吸収されることなく反射シート２２の反射面で反射され、照射される光の量が減少することを防ぐことができる。
【００４４】
また、反射シート２２の一辺の周縁に沿って曲部２２１を反射面側に設けている。曲部２２１は、基板７との間に空間を設け、該空間に配線部としての基板コネクタ２０、配線２１を収容することができる。曲部２２１を設けた反射シート２２は、基板に配設された配線部（例えば、配線２１や基板コネクタ２０など）を覆うとともに発光面から見て配線部を隠すことができるため、配線部が垂れ下がることもなく、また、ＬＥＤ１２から照射される光は反射シート２２で反射されて配線部に照射されることがないので、配線部により影が生ずることもない。これにより、発光面での光量の減少や不均一、あるいは影が生ずることを防止することができる。
【００４５】
図６は本実施の形態の曲部２２１の構造の一例を示す要部断面図である。図６に示すように、基板７に密着して設けられた反射シート２２の縁部を反射面側に折り曲げる（基板７の面に対して鋭角をなすように屈曲させる）ことにより、基板７と反射シート２２との間に、基板コネクタ２０や配線２１（不図示）を収容するための空間５０を設けている。なお、曲部２２１の構造は、図６の例に限定されるものではなく、他の構成（構造）であってもよい。
【００４６】
図７は曲部２２１の構造の他の例を示す要部断面図である。図７に示すように、基板７に密着して設けられた反射シート２２の縁部を反射面側に基板７と略垂直になるように折り曲げるとともに、反射シートの縁部をさらに基板７と並行になるように折り曲げることにより（略Ｓ字状に屈曲させる）、基板７と反射シート２２との間に、基板コネクタ２０や配線２１（不図示）を収容するための空間５０を設けている。
【００４７】
図８は曲部２２１の構造の他の例を示す要部断面図である。図８に示すように、基板７に密着して設けられた反射シート２２の縁部を反射面側に略円弧状に湾曲させることにより、基板７と反射シート２２との間に、基板コネクタ２０や配線２１（不図示）を収容するための空間５０を設けている。これらの構造を用いることにより、基板コネクタ２０の形状や大きさ、配線２１の配線量等に応じて、基板コネクタ２０及び配線２１を覆い隠すことができる。
【００４８】
図９は本実施の形態の曲部２２１の構造の一例を示す要部平面図である。図９に示すように、本発明に係る照明装置１００は、矩形状の反射シート２２を基板７の配置に合わせて、４個１列に配置してあり、各反射シート２２の長手方向の一辺の周縁に曲部２２１を設けてある。これにより、反射シート２２、すなわち基板７の周縁に基板コネクタ２０や配線２１を配設することができ、ＬＥＤ１２から照射される光を反射させる機能を損なうことなく配線部の影響を除去することができる。なお、曲部２２１を反射シート２２のどの箇所に設けるかは、基板７上のどの位置に基板コネクタ２０や配線２１を設けるかに応じて適宜変更することができる。
【００４９】
図１０は曲部２２１の構造の他の例を示す要部平面図である。図１０に示すように、矩形状の反射シート２２を基板７の配置に合わせて、例えば、４個１列に配置した場合に、各反射シート２２の長手方向の両方の辺の周縁に曲部２２１を設けることもできる。これにより、反射シート２２、すなわち基板７の周縁に基板コネクタ２０や配線２１を配設することができ、ＬＥＤ１２から照射される光を反射させる機能を損なうことなく配線部の影響を除去することができる。
【００５０】
図１１は曲部２２１の構造の他の例を示す要部平面図である。図１１に示すように、矩形状の反射シート２２を基板７の配置に合わせて、例えば、４個２行２列にマトリクス状に配置した場合に、各反射シート２２の角を挟んで隣接する２辺の周縁に曲部２２１を設けることもできる。これにより、反射シート２２、すなわち基板７の周縁に基板コネクタ２０や配線２１を配設することができ、ＬＥＤ１２から照射される光を反射させる機能を損なうことなく配線部の影響を除去することができる。
【００５１】
以上、本実施の形態の照明装置１００の構成について説明したが、次に、照明ケース２と電源ケース３の係止方法を含めた照明装置１００の天井への取付方法について説明する。まず、天井に配設されている電力線を引込孔に引込み、電源ケース３を天井（あるいはＣチャネル）にボルト３１で固定する。電源ケース３の天井に接する面には複数個の当接面２９が突起して設けられており、天井面の表面の状態に拘らず電源ケース３を天井面にボルトで強固の固定できる。電力線を速結端子２３に接続し、外部電源と電源回路部を通電する。
【００５２】
次に、電源ケース３に設けられたストッパー９、電源回路部からの配線２１及びコネクタ２８を電源ケース取付孔１０を導通するとともに、照明ケース２を電源ケース３に係止させる。照明ケース２と電源ケース３の係止は、上述したように電源ケース３のケース係止突起部１６を照明ケース２のケース係止受け部１４に嵌め込むことにより行うことができる。なお、２つのケース係止受け部１４は、共に開口部を照明ケース２の長辺側に向けて同一方向に揃えているため、電源ケース３を照明ケース２の短手方向に移動させることによって係止することができる。また、取り付けの方向と逆の方向に移動させることによって取り外すこともでき、照明装置１００の短手方向の移動により着脱可能となる。
【００５３】
さらに、ストッパー９を略９０度回動させて、照明ケース２と電源ケース３を係止させた状態で固定する。また、基板コネクタ２０に接続した配線２１の一方に取り付けられたコネクタ２８を電源回路部からのコネクタ２８に接続することにより、ＬＥＤ１２は外部電源と電気的に接続される。
【００５４】
次に、照明ケース２の側面５の凹部６に保護板１３を嵌めこみ、保護板１３の照射方向側から保持部材１７を照明ケース２の短辺側の両端に取り付ける。保持部材１７の取り付けにより、ストッパー９が回動することも防止され、照明ケース２と電源ケース３の係止がより強固となる。よって、照明装置１００は、照明装置１００に対して自重の６倍程度の力が照明装置１００の設置面の垂直方向に加わったとしても、照明装置１００の係止状態を維持するがことが可能となる。
【００５５】
以上により、照明装置１００を天井に容易に取り付けることが可能となる。また、ストッパー９等により安全性も確保することが可能となる。なお、上記実施の形態において、照明ケース２にケース係止受け部１４を設け、電源ケース３にケース係止突起部１６を設ける構成としたが、逆に設けられていてもよい。
【００５６】
また、上記実施形態は、照明装置が光源を収容する筐体と電源回路部を収容する筐体の複数の筐体からなる例であるが、電源回路部を天井内に配設した場合であって少なくとも光源を収容する筐体を有する照明装置を天井等の設置面に取付ける場合であっても、本発明を適用することができる。すなわち、設置面と光源を収容する筐体の設置面に対向する面に、例えば上述した受け部と突起部からなる一組の係止部材を設けることによって、設置面に光源を収容する筐体を取付けることが可能となる。よって、天井等の設置面に複数の照明装置をライン状に設置した場合において、ラインの照明装置の何れか１つが故障したとしても、照明装置はラインと垂直をなす方向から係止する係止手段によって係止されているので、故障した照明装置のみを交換することができる。また、照明装置をライン状に取り付ける際においても、ラインと垂直をなす方向から照明装置を取付けることができるので、複数の照明装置を同時に取付けることができ、取付けの作業性が向上する。
【００５７】
なお、上記説明において、ラインと垂直をなす方向とは、照明装置の設置面に平行であって、照明装置の短手方向であるが、ラインと垂直をなし且つ設置面に対しても垂直である方向でもよい。その場合であっても、ライン状に取付けられた複数の照明装置を、個々に取り替えることが可能である。
【００５８】
さらに、照明装置の形状は、細長状のものに限定されず、スクエア型の照明装置であっても、ケース係止受け部１４とケース係止突起部１６を２つの筐体に形成することで本発明を適用することができる。天井等の設置面に連続して複数の照明装置を設置する場合は、隣り合う他の照明装置の側と異なる方向から照明装置を設置することができるので効果的である。また、上記実施の形態において、光源としてＬＥＤを用いた照明装置を例示して説明したが、光源はＬＥＤに限定されず、ＥＬ（Electro-Luminescence）等の他の光源であってもよい。
【００５９】
実施の形態２
図１２は本発明の実施の形態２の照明装置１４０の概略分解斜視図であり、図１３は実施の形態２の照明装置１４０の係止状態を示す概略分解斜視図である。実施の形態１と同一の部分については、同一の符号を付して、詳細な説明は省略する。
【００６０】
実施の形態２の照明装置１４０は、実施の形態１の照明装置１００とは、照明ケースと電源ケースの係止構造を補助して固定する構造が異なる。実施の形態１の照明装置１００は、電源ケース３の短辺側の両端部に設けられたストッパー９を照明ケース２の電源ケース取付孔１０に挿通させた後に回動させて、照明ケース２と電源ケース３とを係止させた状態で固定している。したがって、照明装置１００を天井等の固定された設置面に取付ける場合においては、実施の形態１に示すストッパー９でも照明装置１００の取付けは比較的容易であった。しかし、天井に吊り下げられた不安定なワイヤーに照明装置１００を取付ける場合には、固定面に取付ける場合とは異なり、より容易に取付ける構造が必要である。
【００６１】
そこで、実施の形態２の照明装置１４０は、電源ケース４２の短辺側の両端部にコの字状であって、照明装置１４０の短辺側の端部に向けて開口した引掛部４３を備える。引掛部４３は、照明ケース２の電源ケース取付孔１０を挿通可能な大きさであり、照明ケース２の電源ケース取付孔１０に隣接する一部に引掛けられる。よって、引掛部４３は固定部として作用することになる。また、さらに照明ケース２と電源ケース４２の引掛部４３を固定する係止ネジ４４により固定が強固となる。なお、引掛部４３は、電源ケース４２自体に一体的に形成されていてもよく、また、電源ケース４２とは別体で電源ケースに着脱可能な構造であってもよい。
【００６２】
次に、実施の形態２の照明装置１４０の取付けについて詳細に説明する。まず、天井等に吊り下げられたワイヤーに配設されたボルト等の取付具に電源ケース４２を取り付け、電力線を電源ケース４２内の速結端子２３に接続する。次に、電源ケース４２の一端の引掛部４３を照明ケース２に引掛けるとともに、もう一方の引掛部４３を照明ケース２に順に引掛けて、電源ケース４２に照明ケース２を一旦取付ける。その後、電源ケース４２のケース係止突起部１６を、照明ケース２のケース係止受け部１４に嵌合させて係止させる。その際、基板７からのコネクタ２８を接続することにより、ＬＥＤ１２は電源回路部に接続され、外部電源と電気的に接続される。また、ネジ４４を照明ケース２側から電源ケース４２まで到達するよう螺合させて、照明ケース２と電源ケース４２の係止がより強固となる。
【００６３】
従って、引掛部４３により電源ケース４２と照明ケース２を一旦取付けた後に、係止部材により係止させるので、照明装置１４０の取付けが容易となる。よって、不安定なワイヤーに対しても照明装置１４０を取付けることができる。なお、取付ける対象はワイヤーでなくてもロープ等の不安定な物であれば、本発明が適用できる。
【００６４】
上述の実施の形態において、反射シートの平面形状は矩形状であったが、これに限定されるものではなく、楕円状、あるいは円状などであってもよい。また、上述の実施の形態では、曲部を反射シートの縁部に沿って設ける構成であったが、これに限定されるものではなく、例えば、反射シートの中央部を通って周縁に並行に設けることもできる。さらに、シート状の反射部に限定されず、板状の反射板であってもよい。また、反射シートに帯電防止のための材料を塗布してもよく、あるいは帯電防止材を含有した材料を用いることもできる。これによりＬＥＤが静電気により破損することを防止できる。
【図面の簡単な説明】
【００６５】
【図１】本発明に係る照明装置の概略組立斜視図である。
【図２】本発明に係る照明装置の概略分解斜視図である。
【図３】本発明に係る照明装置の光源側から見た概略平面図である。
【図４】図３のＡ−Ａ線で切断した概略断面図である。
【図５】図３のＢ−Ｂ線で切断した概略断面図である。
【図６】本実施の形態の曲部の構造の一例を示す要部断面図である。
【図７】曲部の構造の他の例を示す要部断面図である。
【図８】曲部の構造の他の例を示す要部断面図である。
【図９】本実施の形態の曲部の構造の一例を示す要部平面図である。
【図１０】曲部の構造の他の例を示す要部平面図である。
【図１１】曲部の構造の他の例を示す要部平面図である。
【図１２】本発明の実施の形態２の照明装置の概略分解斜視図である。
【図１３】実施の形態２の照明装置の係止状態を示す概略分解斜視図である。
【符号の説明】
【００６６】
１００、１４０  照明装置
２  照明ケース
３、４２  電源ケース
７  基板
１２  ＬＥＤ
２０  基板コネクタ
２１  配線
２２  反射シート
５０  空間
２２１  曲部
【図１】
2010040269.tif 000003
【図２】
2010040269.tif 000004
【図３】
2010040269.tif 000005
【図４】
2010040269.tif 000006
【図５】
2010040269.tif 000007
【図６】
2010040269.tif 000008
【図７】
2010040269.tif 000009
【図８】
2010040269.tif 000010
【図９】
2010040269.tif 000011
【図１０】
2010040269.tif 000012
【図１１】
2010040269.tif 000013
【図１２】
2010040269.tif 000014
【図１３】
2010040269.tif 000015